(57)【特許請求の範囲】
【請求項１】
二つ折にして毛髪を挟むシート状の毛髪挟み部に帯状の巻き戻り防止部を連結し、二つ折にした毛髪挟み部の側方に突出する巻き戻り防止部に、巻かれた毛髪挟み部の端に嵌合する嵌め込み孔を貫通し、
毛髪挟み部を二つ折にして毛髪を挟み、毛髪を挟んだ毛髪挟み部の下側部を芯にして毛髪挟み部を巻き上げ、巻かれた毛髪挟み部に毛髪を巻き、巻き戻り防止部を毛髪挟み部側に折り曲げ、毛髪挟み部に巻かれた毛髪を横断した巻き戻り防止部の嵌め込み孔と、巻かれた毛髪挟み部の端を嵌合して、巻かれた毛髪をその状態に保持する構成にしたことを特徴とするパーマネントウエーブ形成保持具。
【請求項２】
合成樹脂シートの下側部を除いた部分を毛髪挟み部にし、毛髪挟み部の右側部を基部にし、毛髪挟み部の左側部を、基部側に折り曲げる折り曲げ部にし、
合成樹脂シートの下側部の左側部を巻き戻り防止部にし、巻き戻り防止部を毛髪挟み部の基部に連結して左方に突出したことを特徴とする請求項１に記載の  パーマネントウエーブ形成保持具。
【発明の詳細な説明】
【０００１】
【発明の属する技術分野】
円筒形状の硬質合成樹脂の毛巻きロッドを使用しないパーマネントウエーブ形成保持具に関する。
【０００２】
【従来の技術】
この種のパーマネントウエーブ形成保持具は、実開昭５９−３４７０１号、実開昭６１−１８８５０１号や特開昭６０−２２２００５号公報に開示されているように、湾曲可能な板状であり、スポンジや軟質塩化ビニールのような湾曲可能な軟質合成樹脂の長方形の板状本体にステンレス鋼や銅の針金を組み込んで、板状本体を手で湾曲してその湾曲状態に保持可能にしている。
【０００３】
パーマネントウエーブを形成するため、毛髪を巻く場合、板状本体を毛髪を挟んで巻き、毛髪を渦巻き形状に湾曲してその湾曲状態に保持する。
【０００４】
【発明が解決しようとする課題】
ところが、上記のような従来のパーマネントウエーブ形成保持具は、軟質合成樹脂の板状本体にステンレス鋼や銅の針金を組み込むので、製作に当たり、安価ではない針金と多くの手間を要し、製作費が高価になる。
【０００５】
また、板状本体に組み込んだ針金は、湾曲を繰り返すので、切断して、その端が頭皮を傷付けるおそれがあり、危険である。
【０００６】
即ち、従来品は、高価で危険である。
【０００７】
【課題を解決するための手段】
本発明のパーマネントウエーブ形成保持具は、二つ折にして毛髪を挟むシート状の毛髪挟み部に帯状の巻き戻り防止部を連結し、二つ折にした毛髪挟み部の側方に突出する巻き戻り防止部に、巻かれた毛髪挟み部の端に嵌合する嵌め込み孔を貫通した。
【０００８】
毛髪挟み部を二つ折にして毛髪を挟み、毛髪を挟んだ毛髪挟み部の下側部を芯にして毛髪挟み部を巻き上げ、巻かれた毛髪挟み部に毛髪を巻き、巻き戻り防止部を毛髪挟み部側に折り曲げ、毛髪挟み部に巻かれた毛髪を横断した巻き戻り防止部の嵌め込み孔と、巻かれた毛髪挟み部の端を嵌合して、巻かれた毛髪をその状態に保持する。
【０００９】
【発明の実施の形態】
＜第１例（図１〜図９参照）＞
本例のパーマネントウエーブ形成保持具は、図１と図２に示すように、合成樹脂シートを打ち抜き穴あけ加工して所望の形状に切断したものである。
【００１０】
横長の略長方形状の合成樹脂シートは、図１に示すように、下側部を除いた部分を毛髪挟み部１にしている。毛髪挟み部１は、右側の略半分を基部２にし、左側の略半分を、基部２側に折り曲げる折り曲げ部３にし、基部２と折り曲げ部３にそれぞれ複数のパーマ液通過孔４を貫通している。
【００１１】
合成樹脂シートの下側部の左側の略半分は、図１に示すように、帯状の巻き戻り防止部５にしている。巻き戻り防止部５は、毛髪挟み部１の折り曲げ部３の下側位置に配置し、毛髪挟み部１の基部２に連結して左方に突出し、先端側に嵌め込み孔６を貫通している。合成樹脂シートの下側部の右側の略半分は、芯部７にしている。
【００１２】
合成樹脂シートは、厚さ１ｍｍ位の発泡ポリエチレンシートである。寸法は、１２０〜１５０×６５〜７５ｍｍである。
【００１３】
毛髪を頭皮と反対側に湾曲する外巻きパーマネントウエーブを形成する場合、図３に示すように、毛髪挟み部の折り曲げ部３を手前側を経て基部２側に折り曲げ、基部２と折り曲げ部３の間に鉛筆２本分位の毛髪ｈを挟み、その毛髪ｈの毛先を基部２と折り曲げ部３の間に配置し、毛髪ｈを挟んだ基部２と折り曲げ部３を左手で保持する。
【００１４】
巻き戻り防止部５と芯部７は、図４に示すように、手前上側に折り曲げて、芯部７を折り曲げ部３に重ね、毛髪ｈを挟んだ毛髪挟み部１を、左手で保持しつ  つ、右手で毛髪挟み部１の下側部と芯部７を芯にして手前上側に巻き上げる。
【００１５】
二つ折にして巻かれた毛髪挟み部１は、図５に示すように、更に巻き上げて、毛髪挟み部１に毛髪ｈを巻き付け、パーマネントウエーブを形成する所望の長さの毛髪ｈを渦巻き形状に湾曲する。
【００１６】
巻かれた毛髪挟み部１の中心から左方に突出した巻き戻り防止部５は、図６に示すように、後側を経て右方の毛髪挟み部１側に折り曲げ、毛髪挟み部１に巻いた毛髪ｈを横断した巻き戻り防止部５の嵌め込み孔６と、巻かれた毛髪挟み部１の右端を嵌合して、毛髪ｈを渦巻き形状に湾曲した状態に保持する。
【００１７】
その後は、従来におけるのと同様であり、パーマ液を渦巻き湾曲状態の毛髪ｈに塗布する。
【００１８】
毛髪を頭皮側に湾曲する内巻きパーマネントウエーブを形成する場合、図７に示すように、毛髪挟み部の折り曲げ部３を後側を経て基部２側に折り曲げ、基部２と折り曲げ部３の間に毛髪ｈを挟み、その毛髪ｈの毛先を基部２と折り曲げ部３の間に配置する。
【００１９】
巻き戻り防止部５と芯部７は、図７に示すように、後上側に折り曲げて、芯部７を折り曲げ部３に重ね、毛髪ｈを挟んだと毛髪挟み部１をその下側部と芯部７を芯にして後上側に巻き上げる。
【００２０】
二つ折にして巻かれた毛髪挟み部１は、図８に示すように、更に巻き上げて、毛髪挟み部１に毛髪ｈを巻き付け、所望の長さの毛髪ｈを渦巻き形状に湾曲す  る。
【００２１】
巻かれた毛髪挟み部１の中心から左方に突出した巻き戻り防止部５は、図９に示すように、手前側を経て右方の毛髪挟み部１側に折り曲げ、毛髪挟み部１に巻いた毛髪ｈを横断した巻き戻り防止部５の嵌め込み孔６と、巻かれた毛髪挟み部１の右端を嵌合して、毛髪ｈを渦巻き形状に湾曲した状態に保持する。
【００２２】
＜第２例（図１０と図１１参照）＞
本例のパーマネントウエーブ形成保持具は、前例におけるのより径の大きい  パーマネントウエーブを形成するものである。
【００２３】
毛髪挟み部１と巻き戻り防止部５は、図１０と図１１に示すように、それぞ  れ、前例のものより、上下方向の長さが少し長く、厚さが約２倍である。パーマ液通過孔４と嵌め込み孔６は、それぞれ、前例のものより大きい。
【００２４】
その他の点は、前例におけるのと同様である。
【００２５】
＜第３例（図１２〜図１５参照）＞
本例のパーマネントウエーブ形成保持具は、図１２と図１３に示すように、毛髪挟み部１を格子状織物の雄型の面ファスナで長方形状に形成し、巻き戻り防止部５を非発泡の合成樹脂シートを打ち抜き穴あけ加工して所望の形状に形成し、縦長長方形状の毛髪挟み部１の左側部の中央に帯状の巻き戻り防止部５の基端を固着して、帯状の巻き戻り防止部５をシート状の毛髪挟み部１の左方に突出している。
【００２６】
毛髪挟み部１の面ファスナは、表面に多数のフックを突出し、左右の耳部を除いた中央部で、所定本数の経糸を配列した糸配列部と経糸を配列しない空白部を交互に配列すると共に、所定本数の緯糸を配列した糸配列部と緯糸を配列しない空白部を交互に配列して、格子状に織り、多数の貫通孔４を形成している。この貫通孔４がパーマ液通過孔になる。
【００２７】
面ファスナは、素材がナイロン糸であり、厚さが２．４〜３ｍｍで、縦と横の寸法が１２０〜１４０ｍｍと６５〜７５ｍｍである。
【００２８】
巻き戻り防止部５は、広幅の先端側に嵌め込み孔６を貫通している。厚さが  ０．４〜１ｍｍで、長さが９０〜１１０ｍｍである
外巻きパーマネントウエーブを形成する場合、図１４に示すように、毛髪挟み部１の半分弱の下部を手前側を経て上部側に折り曲げ、フック突出面を内面にして二つ折にした毛髪挟み部１に毛髪ｈを挟み、毛髪ｈを挟んだ毛髪挟み部１を左手で保持する。
【００２９】
二つ折にして毛髪ｈを挟んだ毛髪挟み部１は、左手で保持しつつ、その折曲下側部を芯にして右手で手前上側に巻き上げる。二つ折にして巻かれた毛髪挟み部１は、更に巻き上げて、毛髪挟み部１に毛髪ｈを巻き付け、パーマネントウエーブを形成する所望の長さの毛髪ｈを渦巻き形状に湾曲する。
【００３０】
巻かれた毛髪挟み部１の中心から左方に突出した巻き戻り防止部５は、後側を経て右方の毛髪挟み部１側に折り曲げ、毛髪挟み部１に巻いた毛髪ｈを横断した巻き戻り防止部５の嵌め込み孔６と、巻かれた毛髪挟み部１の右端を嵌合して、毛髪ｈを渦巻き形状に湾曲した状態に保持する。
【００３１】
その後は、従来におけるのと同様である。
【００３２】
内巻きパーマネントウエーブを形成する場合、図１５に示すように、毛髪挟み部１の半分強の下部を手前側を経て上部側に折り曲げ、フック突出面を内面にして二つ折にした毛髪挟み部１に毛髪ｈを挟む。
【００３３】
二つ折にして毛髪ｈを挟んだ毛髪挟み部１は、その折曲下側部を芯にして後上側に巻き上げる。二つ折にして巻かれた毛髪挟み部１は、更に巻き上げて、毛髪挟み部１に毛髪ｈを巻き付け、所望の長さの毛髪ｈを渦巻き形状に湾曲する。
【００３４】
巻かれた毛髪挟み部１の中心から左方に突出した巻き戻り防止部５は、手前側を経て右方の毛髪挟み部１側に折り曲げ、毛髪挟み部１に巻いた毛髪ｈを横断した巻き戻り防止部５の嵌め込み孔６と、巻かれた毛髪挟み部１の右端を嵌合し  て、毛髪ｈを渦巻き形状に湾曲した状態に保持する。
【００３５】
【発明の効果】
本発明においては、シート状の毛髪挟み部と帯状の巻き戻り防止部は、合成樹脂シートや織物などで構成され、製作に当たり、ステンレス鋼や銅の針金のような高価な部品と多くの手間を要せず、製作費が高価にならない。
【００３６】
また、巻かれた毛髪をその状態に保持するのに、帯状の巻き戻り防止部を用  い、針金を用いないので、針金が切断して頭皮を傷付ける危険がない。
【００３７】
即ち、安価になり、安全である。
【図面の簡単な説明】
【図１】本発明の実施形態の第１例のパーマネントウエーブ形成保持具の正面図。
【図２】図１のＡ−Ａ線断面図。
【図３】同例において外巻きパーマネントウエーブを形成する第１工程の正面図。
【図４】同第２工程の正面図。
【図５】同第３工程の正面図。
【図６】同第４工程の正面図。
【図７】同例において内巻きパーマネントウエーブを形成する第２工程の正面図。
【図８】同第３工程の正面図。
【図９】同第４工程の正面図。
【図１０】実施形態の第２例のパーマネントウエーブ形成保持具の正面図。
【図１１】図１０のＢ−Ｂ線断面図。
【図１２】実施形態の第３例のパーマネントウエーブ形成保持具の正面図。
【図１３】同例のパーマネントウエーブ形成保持具の中央横断面図。
【図１４】同例において外巻きパーマネントウエーブを形成する第１工程の正面図。
【図１５】同例において内巻きパーマネントウエーブを形成する第１工程の正面図。
【符号の説明】
１  毛髪挟み部
２  基部
３  折り曲げ部
５  巻き戻り防止部
６  嵌め込み孔
ｈ  毛髪
【図１】
0003672652.tif 000002
【図２】
0003672652.tif 000003
【図３】
0003672652.tif 000004
【図４】
0003672652.tif 000005
【図５】
0003672652.tif 000006
【図６】
0003672652.tif 000007
【図７】
0003672652.tif 000008
【図８】
0003672652.tif 000009
【図９】
0003672652.tif 000010
【図１０】
0003672652.tif 000011
【図１１】
0003672652.tif 000012
【図１２】
0003672652.tif 000013
【図１３】
0003672652.tif 000014
【図１４】
0003672652.tif 000015
【図１５】
0003672652.tif 000016